(57)【特許請求の範囲】
【請求項１】
出湯温度を制御自在に構成した一台の熱源機から複数台の端末に温水を供給すると共に、この温水の供給は、前記熱源機の出湯側を分岐して各端末を温水配管で並列に結び、かつ前記温水配管の分岐部に夫々の端末ごとに開閉弁を取り付けて成る温水式暖房装置において、
既に低温で定常運転中の端末が存在する間に新規に運転を開始した端末があった場合、この新規に運転を開始した端末が定常運転に移行するまでは、既に定常運転中の端末に対する温水の供給を制限しながら前記熱源機を高温運転に制御する温水式暖房装置の運転制御方法。
【請求項２】
出湯温度を制御自在に構成した一台の熱源機から複数台の端末に温水を供給すると共に、この温水の供給は、前記熱源機の出湯側を分岐して各端末を温水配管で並列に結び、かつ前記温水配管の分岐部に夫々の端末ごとに開閉弁を取り付けて成る温水式暖房装置において、
既に低温で定常運転中の端末が存在する間に新規に運転を開始した端末があった場合、この新規に運転を開始した端末が定常運転に移行するまでは、既に定常運転中の端末の開閉弁が閉に作動している間のみ熱源機の運転を高温に制御し、既に定常運転中の端末の開閉弁が開に作動している間は低温運転に制御する温水式暖房装置の運転制御方法。
【請求項３】
既に定常運転中の端末が複数台あった場合、この複数台の端末の開閉弁の開のタイミングを一致させ、すべての開閉弁が閉のときにのみ熱源機の運転を高温に制御する請求項２記載の温水式暖房装置の運転制御方法。
【請求項４】
出湯温度を制御自在に構成した一台の熱源機から複数台の端末に温水を供給すると共に、この温水の供給は、前記熱源機の出湯側を分岐して各端末を温水配管で並列に結び、かつ前記温水配管の分岐部に夫々の端末ごとに開閉弁を取り付けて成る温水式暖房装置において、
既に低温で定常運転中の端末が存在する間に新規に運転を開始した端末があった場合、この新規に運転を開始した端末が定常運転に移行するまでは、前記熱源機を高温運転に制御すると共に、既に定常運転に入っている端末の開閉弁の開時間を、あらかじめ計算された定常運転中に必要とする放熱量になる時間だけ開に制御する温水式暖房装置の運転制御方法。
【請求項５】
出湯温度を制御自在に構成した一台の熱源機から複数台の端末に温水を供給すると共に、この温水の供給は、前記熱源機の出湯側を分岐して各端末を温水配管で並列に結び、かつ前記温水配管の分岐部に夫々の端末ごとに開閉弁を取り付けて成る温水式暖房装置において、
あらかじめ各端末ごとに運転の優先順位を決定しておき、既に低温で定常運転中の端末が存在する間に新規に運転を開始した端末があった場合、この新規に運転を開始した端末が定常運転中の端末よりその優先順位が上位のときにのみ新たに運転を開始した端末が定常運転に移行するまでは、既に定常運転中の端末に対する温水の供給を制限しながら前記熱源機を高温運転に制御する温水式暖房装置の運転制御方法。
【請求項６】
熱源機を高温に制御した際、既に定常運転中の端末の開閉弁の開時間を、あらかじめ計算された定常運転時の放熱量になる時間だけ開に制御する請求項５記載の温水式暖房装置の運転制御方法。
【請求項７】
新たに運転を開始した端末の優先順位が下位の場合、既に定常運転中の端末の開閉弁が閉の間のみ熱源機を高温運転に制御する請求項５記載の温水式暖房装置の運転制御方法。
【請求項８】
優先順位を手動で設定する請求項５又は６又は７記載の温水式暖房装置の運転制御方法。
【請求項９】
優先順位を各端末が設置された室内の環境条件により自動的に設定する請求項５又は６又は７記載の温水式暖房装置の運転制御方法。
【請求項１０】
優先順位を、新たに運転を開始した端末の暖房対象室内の温度により決定する請求項５又は６又は７記載の温水式暖房装置の運転制御方法。
【請求項１１】
各端末が設置された室内の立上がり時の温度変化を時系列的に検出することにより各室の温まりやすさを求めて記憶しておき、既に定常運転中の端末が存在する間に新規に運転を開始した端末があった場合、温まりにくい室内の端末を優先順位上位に設定して熱源機の運転を行う請求項５又は６又は７記載の温水式暖房装置の運転制御方法。
【請求項１２】
出湯温度制御自在の熱源機と、
前記熱源機から供給される温水を配管接続口に分配するヘッダーと、
前記配管接続口に夫々取り付けられた開閉弁と、
前記ヘッダーの配管接続口に配管を介して夫々結ばれた端末と、
既に低温で定常運転中の端末があった場合、新たに運転を開始した端末が定常運転に移行するまでの間、定常運転中の端末に対する温水の供給を制限しながら熱源機を高温運転に制御する運転制御回路と、
から成る温水式暖房装置の運転制御装置。
【請求項１３】
新たに運転を開始した端末があった場合、既に定常運転中の端末の開閉弁が開の間だけ熱源機を高温運転に制御するように運転制御回路を構成して成る請求項１２記載の温水式暖房装置の運転制御装置。
【請求項１４】
既に定常運転中の端末が複数あった場合、これら複数の端末の開閉弁の開のタイミングを一致させると共に、すべての開閉弁が閉の間のみ熱源機を高温運転に制御するように運転制御回路を構成して成る請求項１２記載の温水式暖房装置の運転制御装置。
【請求項１５】
各端末にあらかじめ優先順位をつけてこの優先順位に基づいて新たに運転を開始した端末の優先順位を判定し、この優先順位が既に定常運転中の端末よりも上位のときには熱源機の運転を高温運転に制御すると共に、既に定常運転中の端末の開閉弁の開時間を、あらかじめ計算された定常運転時の放熱量になる時間だけ開になるように運転制御回路を構成して成る請求項１２記載の温水式暖房装置の運転制御装置。
【請求項１６】
端末が床暖房装置又は室内放熱器から成る請求項１又は２又は３又は４又は５又は６又は７又は８又は９又は１０又は１１記載の温水式暖房装置の運転制御方法。
【請求項１７】
端末が床暖房装置又は室内放熱器から成る請求項１２又は１３又は１４又は１５記載の温水式暖房装置の運転制御装置。
【発明の詳細な説明】
【０００１】
【産業上の利用分野】
本発明は、複数の端末を出湯温度調節自在の一台の熱源機を用いて運転する温水式暖房装置における運転制御方法及びその装置に関する。
【０００２】
【従来の技術】
一台の熱源機に複数台の端末を接続した温水式暖房装置であって、例えば端末が床暖房装置の場合、運転開始から室温が設定温度になるまでの所謂立上がり時には約８０℃の温水を供給し、その後の定常運転時には約６０℃の温水を供給するようになっている。
図４は、この従来の温水式暖房装置の例であって、１は出湯温度を約８０℃と約６０℃に制御自在の熱源機、２はガスバーナ、３は高温側出湯管、４は低温側出湯管、５は低温側出湯管４に取り付けられた温水ヘッダーであって、この温水ヘッダー５は端末ごとに設けられた配管接続口６と、個々に取り付けられた開閉弁７から成る。８は熱交換器、９は各端末からの戻り管、１０は循環ポンプ、１１は高温出湯管３と戻り管９を結ぶバイパス、１２はシスターン、１３、１４は温度センサであって、熱源機１が高温に制御されている場合には、温水ヘッダー５からすべての端末（床暖房）へは高温の湯が供給され、低温に制御されている場合には、すべての端末へは低温の湯が一律に供給される構成である。
【０００３】
【発明が解決しようとする課題】
このため、上記温水式暖房装置の場合、次のような欠点がある。
いま、端末Ａ、Ｂ（室）が定常運転状態にあり、熱源機１から６０℃の温水が供給されている時に、端末Ｃの運転が開始すると、定常運転中のＡ室、Ｂ室を優先させていることから、Ｃ室には６０℃の温水がそのまま供給される。このため、Ｃ室の立上がり運転は６０℃で行われることになる。したがって、床暖房が単独で立上がるときの温水温度を仮に８０℃とすると、Ｃ室の床暖房はそれ単独で運転を開始したときの立上がり時に比べて立上がりが非常に遅くなる。
【０００４】
【課題を解決するための手段】
本発明は、上記課題を解決するのが目的であって、その構成は次のとおりである。
１．出湯温度を制御自在に構成した一台の熱源機から複数台の端末に温水を供給すると共に、この温水の供給は、前記熱源機の出湯側を分岐して各端末を温水配管で並列に結び、かつ前記温水配管の分岐部に夫々の端末ごとに開閉弁を取り付けて成る温水式暖房装置において、
既に低温で定常運転中の端末が存在する間に新規に運転を開始した端末があった場合、この新規に運転を開始した端末が定常運転に移行するまでは、既に定常運転中の端末に対する温水の供給を制限しながら前記熱源機を高温運転に制御する温水式暖房装置の運転制御方法。
【０００５】
２．出湯温度を制御自在に構成した一台の熱源機から複数台の端末に温水を供給すると共に、この温水の供給は、前記熱源機の出湯側を分岐して各端末を温水配管で並列に結び、かつ前記温水配管の分岐部に夫々の端末ごとに開閉弁を取り付けて成る温水式暖房装置において、
既に低温で定常運転中の端末が存在する間に新規に運転を開始した端末があった場合、この新規に運転を開始した端末が定常運転に移行するまでは、既に定常運転中の端末の開閉弁が閉に作動している間のみ熱源機の運転を高温に制御し、既に定常運転中の端末の開閉弁が開に作動している間は低温運転に制御する温水式暖房装置の運転制御方法。
【０００６】
３．既に定常運転中の端末が複数台あった場合、この複数台の端末の開閉弁の開のタイミングを一致させ、すべての開閉弁が閉のときにのみ熱源機の運転を高温に制御する前記２記載の温水式暖房装置の運転制御方法。
【０００７】
４．出湯温度を制御自在に構成した一台の熱源機から複数台の端末に温水を供給すると共に、この温水の供給は、前記熱源機の出湯側を分岐して各端末を温水配管で並列に結び、かつ前記温水配管の分岐部に夫々の端末ごとに開閉弁を取り付けて成る温水式暖房装置において、
既に低温で定常運転中の端末が存在する間に新規に運転を開始した端末があった場合、この新規に運転を開始した端末が定常運転に移行するまでは、前記熱源機を高温運転に制御すると共に、既に定常運転に入っている端末の開閉弁の開時間を、あらかじめ計算された定常運転中に必要とする放熱量になる時間だけ開に制御する温水式暖房装置の運転制御方法。
【０００８】
５．出湯温度を制御自在に構成した一台の熱源機から複数台の端末に温水を供給すると共に、この温水の供給は、前記熱源機の出湯側を分岐して各端末を温水配管で並列に結び、かつ前記温水配管の分岐部に夫々の端末ごとに開閉弁を取り付けて成る温水式暖房装置において、
あらかじめ各端末ごとに運転の優先順位を決定しておき、既に低温で定常運転中の端末が存在する間に新規に運転を開始した端末があった場合、この新規に運転を開始した端末が定常運転中の端末よりその優先順位が上位のときにのみ新たに運転を開始した端末が定常運転に移行するまでは、既に定常運転中の端末に対する温水の供給を制限しながら前記熱源機を高温運転に制御する温水式暖房装置の運転制御方法。
【０００９】
６．熱源機を高温に制御した際、既に定常運転中の端末の開閉弁の開時間を、あらかじめ計算された定常運転時の放熱量になる時間だけ開に制御する前記５記載の温水式暖房装置の運転制御方法。
【００１０】
７．新たに運転を開始した端末の優先順位が下位の場合、既に定常運転中の端末の開閉弁が閉の間のみ熱源機を高温運転に制御する前記５記載の温水式暖房装置の運転制御方法。
【００１１】
８．優先順位を手動で設定する前記５又は６又は７記載の温水式暖房装置の運転制御方法。
【００１２】
９．優先順位を各端末が設置された室内の環境条件により自動的に設定する前記５又は６又は７記載の温水式暖房装置の運転制御方法。
【００１３】
１０．優先順位を、新たに運転を開始した端末の暖房対象室内の温度により決定する前記５又は６又は７記載の温水式暖房装置の運転制御方法。
【００１４】
１１．各端末が設置された室内の立上がり時の温度変化を時系列的に検出することにより各室の温まりやすさを求めて記憶しておき、既に定常運転中の端末が存在する間に新規に運転を開始した端末があった場合、温まりにくい室内の端末を優先順位上位に設定して熱源機の運転を行う前記５又は６又は７記載の温水式暖房装置の運転制御方法。
【００１５】
１２．出湯温度制御自在の熱源機と、
前記熱源機から供給される温水を配管接続口に分配するヘッダーと、
前記配管接続口に夫々取り付けられた開閉弁と、
前記ヘッダーの配管接続口に配管を介して夫々結ばれた端末と、
既に低温で定常運転中の端末があった場合、新たに運転を開始した端末が定常運転に移行するまでの間、定常運転中の端末に対する温水の供給を制限しながら熱源機を高温運転に制御する運転制御回路と、
から成る温水式暖房装置の運転制御装置。
【００１６】
１３．新たに運転を開始した端末があった場合、既に定常運転中の端末の開閉弁が開の間だけ熱源機を高温運転に制御するように運転制御回路を構成して成る前記１２記載の温水式暖房装置の運転制御装置。
【００１７】
１４．既に定常運転中の端末が複数あった場合、これら複数の端末の開閉弁の開のタイミングを一致させると共に、すべての開閉弁が閉の間のみ熱源機を高温運転に制御するように運転制御回路を構成して成る前記１２記載の温水式暖房装置の運転制御装置。
【００１８】
１５．各端末にあらかじめ優先順位をつけてこの優先順位に基づいて新たに運転を開始した端末の優先順位を判定し、この優先順位が既に定常運転中の端末よりも上位のときには熱源機の運転を高温運転に制御すると共に、既に定常運転中の端末の開閉弁の開時間を、あらかじめ計算された定常運転時の放熱量になる時間だけ開になるように運転制御回路を構成して成る前記１２記載の温水式暖房装置の運転制御装置。
【００１９】
１６．端末が床暖房装置又は室内放熱器から成る前記１又は２又は３又は４又は５又は６又は７又は８又は９又は１０又は１１記載の温水式暖房装置の運転制御方法。
【００２０】
１７．端末が床暖房装置又は室内放熱器から成る前記１２又は１３又は１４又は１５記載の温水式暖房装置の運転制御装置。
【００２１】
【作用】
熱源機で加熱された温水は、温水ヘッダーから各温水配管を経由して端末に供給され、ここで放熱を行い、温水戻り管を経由して温水戻りヘッダーで集合し、熱源機へ戻る。熱源機は、運転制御回路により、その運転が制御されるものであって、既に定常運転（低温運転）に移行して６０℃の温水を供給する運転中に新たに運転を開始した端末があった場合には、この新たに運転を開始した端末が定常運転に移行するまでの立上がり時間は８０℃の高温運転に制御される。
【００２２】
【実施例】
図１は本発明を実施した温水式暖房装置の実施例であって、１は出湯温度を約８０℃と約６０℃に制御自在の熱源機、２はガスバーナ、３は高温側出湯管であって、この先は温水ヘッダー５ａを経由して例えば室内放熱器に結ばれている。４は低温側出湯管、５は低温側出湯管４に取り付けられた温水ヘッダーであって、この温水ヘッダー５は、図２に示すように、Ａ・Ｂ・Ｃ室床暖房への配管接続口６と、各開閉弁７（Ａ、Ｂ、Ｃ）から成る。図１及び図２において、８は熱交換器、９は各端末からの戻り管、９ａは戻りヘッダー、１０は循環ポンプ、１１はバイパス、１２はシスターン、１３、１４は温度センサ、１５、１５ａ、１５ｂはＡ・Ｂ・Ｃ室の床暖房（端末）である。
１６は運転制御回路（装置）であって、この運転制御回路１６は、次の如き運転制御を行う。なお、以下の説明において、床暖房１５を端末Ａ、床暖房１５ａを端末Ｂ、床暖房１５ｂを端末Ｃと称す。
【００２３】
運転例１
既に低温（約６０℃）で定常運転中の端末Ａ（１５）が存在する間に新規に運転を開始した端末Ｂ（１５ａ）があった場合、この新規に運転を開始した端末Ｂが定常運転に移行するまでは、端末Ａに対する温水の供給量を定常運転時の放熱量になるように制限しながら、熱源機１を高温（約８０℃）運転に制御する。
【００２４】
運転例２
既に低温で定常運転中の端末Ａが存在する間に新規に運転を開始した端末Ｂがあった場合、この新規に運転を開始した端末Ｂが定常運転に移行するまでは、定常運転中の端末Ａの開閉弁Ａ（６）が閉に作動している間のみ熱源機１の運転を高温に制御し、開に作動している間は低温運転に制御する。
【００２５】
運転例３
定常運転中の端末がＡ・Ｂと複数台あり、端末Ｃ（１５ｂ）の運転が開始した場合、端末Ａ・Ｂの開閉弁Ａ・Ｂの開のタイミングを一致させ、開閉弁Ａ・Ｂが閉のときにのみ熱源機１の運転を高温に制御して端末Ｃの立上がり運転を行う。図３は、この制御例のタイミングチャートであって、定常運転中の端末Ａの開閉弁Ａの開時間が１０分、端末Ｂの開閉弁Ｂの開時間が８分で運転中に端末Ｃが運転を開始すると、端末Ａ・Ｂの開閉弁Ａ・Ｂの開のタイミングを一致させ、開閉弁Ａ・Ｂともに閉の状態にあるときのみ熱源機１を高温８０℃で運転し、何れかが開いている間は低温（約６０℃）で運転を行う。
【００２６】
運転例４
既に低温で定常運転中の端末Ａ・Ｂが存在する間に新規に運転を開始した端末Ｃがあった場合、この新規に運転を開始した端末Ｃが定常運転に移行するまでは、前記熱源機１を高温運転に制御すると共に、既に定常運転に入っている端末Ａ・Ｂの開閉弁Ａ・Ｂの開時間を、あらかじめ計算された定常運転中に必要とする放熱量になる時間だけ開に制御する。
【００２７】
運転例５
あらかじめ各端末Ａ・Ｂ・Ｃごとに運転の優先順位を決定しておき、既に低温で定常運転中の端末Ａ・Ｂが存在する間に新規に運転を開始した端末Ｃがあった場合、この新規に運転を開始した端末Ｃが定常運転中の端末Ａ・Ｂよりその優先順位が上位のときにのみ新たに運転を開始した端末Ｃが定常運転に移行するまでは、定常運転中の端末Ａ・Ｂに対する温水の供給を制限しながら熱源機１を高温運転に制御する。
【００２８】
運転例６
熱源機１を高温に制御した際、既に定常運転中の端末Ａ・Ｂの開閉弁Ａ・Ｂの開時間を、あらかじめ計算された定常運転時の放熱量になる時間だけ開に制御する。
【００２９】
運転例７
新たに運転を開始した端末Ｃの優先順位が端末Ａ・Ｂより下位の場合、既に定常運転中の端末Ａ・Ｂの開閉弁Ａ・Ｂが閉の間のみ熱源機１を高温運転に制御する。
なお、前記優先順位は手動で設定してもよいし、優先順位を各端末Ａ・Ｂ・Ｃが設置された室内の環境条件により自動的に設定するようにしてもよい。或いは、新たに運転を開始した例えば端末Ｃの暖房対象室内の温度により決定するようにしてもよい。或いは、各端末Ａ・Ｂ・Ｃが設置された室内の立上がり時の温度変化を時系列的に検出することにより各室の温まりやすさを求めて記憶しておき、既に定常運転中の端末Ａ・Ｂが存在する間に新規に運転を開始した端末Ｃがあった場合、温まりにくい室内の端末例えばＣを優先順位上位に設定する。
【００３０】
【発明の効果】
本発明は以上のように、既に定常運転中の端末が存在する間に新規に運転を開始した端末があった場合、前記運転例１〜７に基づいて熱源機の運転を行うため、従来のように低温水だけで立上がるということがない。よって、既に定常運転中の端末があった場合に問題とされて来た新規に運転を開始した端末の室温がなかなか上昇しないという欠点が改善される。
【図面の簡単な説明】
【図１】本発明を実施した温水式暖房装置の説明図。
【図２】熱源機と温水ヘッダー部分の説明図。
【図３】運転例３の説明図。
【図４】従来の温水式暖房装置の説明図。
【符号の説明】
１  熱源機
２  ガスバーナ
３  高温側出湯管
４  低温側出湯管
５  温水ヘッダー
８  熱交換器
９  戻り管
９ａ  戻りヘッダー
１０  循環ポンプ
１１  バイパス
１２  シスターン
１３、１４  温度センサ
１５、１５ａ、１５ｂ  床暖房
１６  運転制御回路
【図１】
0003594261.tif 000002
【図２】
0003594261.tif 000003
【図３】
0003594261.tif 000004
【図４】
0003594261.tif 000005